(57)【要約】【課題】  屋外にいる不審者の把握を屋内等で行いやすい簡便で安価な防犯システムを提供する。【解決手段】  屋外に配置される給湯器１と、給湯器１と通信線により接続されて屋内に配置されるリモコン装置３とを設ける。給湯器１には映像を撮影可能なカメラ等の撮影手段５と、給湯器１近傍に人がいることを検知する人検知センサ７とを設け、人検知センサ７が給湯器１近傍に人がいることを検知したときに撮影手段５により撮影する画像を給湯器１からリモコン装置３へ通信線２を通して伝達し、リモコン装置３のディスプレイ部６に表示する。撮影手段５により撮影した画像をリモコン装置３に伝達する通信線２は給湯器１の制御用の通信回線を使用する。【選択図】        図１
2005267159.tif 000002
【特許請求の範囲】
【請求項１】
屋外に配置される熱交換住設備と、該熱交換住設備と通信線により接続されて屋内に配置されるリモコン装置とを有し、前記熱交換住設備には映像を撮影可能な撮影手段が設けられ、該撮影手段により撮影した画像を表示可能なディスプレイ部が前記リモコン装置に設けられており、前記撮影手段により撮影した画像を前記熱交換住設備から前記リモコン装置へ前記通信線を通して伝達し、リモコン装置のディスプレイ部に表示することを特徴とする防犯システム。
【請求項２】
熱交換住設備は給湯熱源装置としたことを特徴とする請求項１記載の防犯システム。
【請求項３】
撮影手段により撮影した画像をリモコン装置に伝達する通信線は給湯熱源装置の制御用の通信回線を使用したことを特徴とする請求項２記載の防犯システム。
【請求項４】
熱交換住設備には該熱交換住設備近傍に人がいることを検知する人検知センサが設けられており、該人検知センサが前記熱交換住設備近傍に人がいることを検知したときに撮影手段が撮影する画像がリモコン装置のディスプレイ部に表示される構成としたことを特徴とする請求項１または請求項２または請求項３記載の防犯システム。
【請求項５】
熱交換住設備は、該熱交換住設備近傍に人がいることを検知する人検知センサと、撮影手段により撮影する画像のデータを記憶するデータ記憶部とを有し、該データ記憶部は前記人検知センサが熱交換住設備近傍に人がいることを検知したときに撮影手段が撮影する画像のデータを記憶する構成と成し、リモコン装置にはディスプレイ操作部が設けられ、該ディスプレイ操作部の画像再生表示操作に応じて前記データ記憶部に記憶されている画像のデータがリモコン装置のディスプレイ部に表示されることを特徴とする請求項１乃至請求項４のいずれか一つに記載の防犯システム。
【請求項６】
熱交換住設備には、該熱交換住設備近傍に人がいることを検知する人検知センサと、該人検知センサが前記熱交換住設備近傍に人がいることを検知したときに撮影手段が撮影する画像のデータを予め定められている設定電話番号の電話に送信する電話用データ送信部とが設けられていることを特徴とする請求項１乃至請求項５のいずれか一つに記載の防犯システム。
【請求項７】
熱交換住設備には該熱交換住設備近傍に人がいることを検知する人検知センサが設けられ、前記熱交換住設備とリモコン装置の少なくとも一方には前記人検知センサが前記熱交換住設備近傍に人がいることを検知したときに警告を発する警告発生部が設けられていることを特徴とする請求項１乃至請求項６のいずれか一つに記載の防犯システム。
【請求項８】
人検知センサによる人の検知感度を可変設定できる人検知感度可変設定部を有していることを特徴とする請求項４乃至請求項７のいずれか一つに記載の防犯システム。
【請求項９】
リモコン装置にはディスプレイ操作部が設けられ、該ディスプレイ操作部の画像表示操作によって撮影手段により撮影する画像がリモコン装置のディスプレイ部に表示されることを特徴とする請求項１乃至請求項８のいずれか一つに記載の防犯システム。
【発明の詳細な説明】
【技術分野】
【０００１】
本発明は、例えば給湯器や暖房熱源機等の給湯熱源装置等、住宅等の屋外に配置される熱交換住設備と屋内に配置されるリモコン装置とを利用する防犯システムに関するものである。
【背景技術】
【０００２】
近年、住宅等において、様々な防犯システムが用いられており、例えば、インターホンにより、玄関先にいる人の映像を屋内で確認できるようにしたり、映像を録画したりすること等が行われている。（例えば、特許文献１、参照。）。
【０００３】
【特許文献１】特開２００３−３４６２５９号公報
【発明の開示】
【発明が解決しようとする課題】
【０００４】
しかしながら、泥棒等の不審者は、人目につきにくい場所にひそんで屋内の様子をうかがうものであり、通常、玄関先から屋内の様子をうかがうことはしないものである。したがって、インターホン等を利用して玄関先にいる人の映像を映し出す防犯システムによって泥棒等の不審者を把握することは難しい。
【０００５】
また、従来、提案されている防犯システムは、システム構成を住宅等に新たに設置するものであるため、新たな通信線を敷設する必要があり、そのための工事費用がかかり、結果的に、防犯システムを設けるためのコストが高くなってしまうといった問題もあった。
【０００６】
本発明は、上記従来の課題を解決するために成されたものであり、その目的は、住宅等に防犯システムを設けるためだけに工事をする必要が無く、安価に設けることができ、屋外にいる不審者等の把握を屋内等で的確に把握できる防犯システムを提供することにある。
【課題を解決するための手段】
【０００７】
上記目的を達成するために、本発明は次のような構成をもって課題を解決する手段としている。すなわち、第１の発明は、屋外に配置される熱交換住設備と、該熱交換住設備と通信線により接続されて屋内に配置されるリモコン装置とを有し、前記熱交換住設備には映像を撮影可能な撮影手段が設けられ、該撮影手段により撮影した画像を表示可能なディスプレイ部が前記リモコン装置に設けられており、前記撮影手段により撮影した画像を前記熱交換住設備から前記リモコン装置へ前記通信線を通して伝達し、リモコン装置のディスプレイ部に表示する構成をもって課題を解決する手段としている。
【０００８】
また、第２の発明は、上記第１の発明の構成に加え、前記熱交換住設備は給湯熱源装置とした構成をもって課題を解決する手段としている。
【０００９】
さらに、第３の発明は、上記第２の発明の構成に加え、前記撮影手段により撮影した画像をリモコン装置に伝達する通信線は給湯熱源装置の制御用の通信回線を使用した構成をもって課題を解決する手段としている。
【００１０】
さらに、第４の発明は、上記第１または第２または第３の発明の構成に加え、前記熱交換住設備には該熱交換住設備近傍に人がいることを検知する人検知センサが設けられており、該人検知センサが前記熱交換住設備近傍に人がいることを検知したときに撮影手段が撮影する画像がリモコン装置のディスプレイ部に表示される構成をもって課題を解決する手段としている。
【００１１】
さらに、第５の発明は、上記第１乃至第４のいずれか一つの発明の構成に加え、前記熱交換住設備は、該熱交換住設備近傍に人がいることを検知する人検知センサと、撮影手段により撮影する画像のデータを記憶するデータ記憶部とを有し、該データ記憶部は前記人検知センサが熱交換住設備近傍に人がいることを検知したときに撮影手段が撮影する画像のデータを記憶する構成と成し、リモコン装置にはディスプレイ操作部が設けられ、該ディスプレイ操作部の画像再生表示操作に応じて前記データ記憶部に記憶されている画像のデータがリモコン装置のディスプレイ部に表示される構成をもって課題を解決する手段としている。
【００１２】
さらに、第６の発明は、上記第１乃至第５のいずれか一つの発明の構成に加え、前記熱交換住設備には、該熱交換住設備近傍に人がいることを検知する人検知センサと、該人検知センサが前記熱交換住設備近傍に人がいることを検知したときに撮影手段が撮影する画像のデータを予め定められている設定電話番号の電話に送信する電話用データ送信部とが設けられている構成をもって課題を解決する手段としている。
【００１３】
さらに、第７の発明は、上記第１乃至第６のいずれか一つの発明の構成に加え、前記熱交換住設備には該熱交換住設備近傍に人がいることを検知する人検知センサが設けられ、前記熱交換住設備とリモコン装置の少なくとも一方には前記人検知センサが前記熱交換住設備近傍に人がいることを検知したときに警告を発する警告発生部が設けられている構成をもって課題を解決する手段としている。
【００１４】
さらに、第８の発明は、上記第４乃至第７のいずれか一つの発明の構成に加え、前記人検知センサによる人の検知感度を可変設定できる人検知感度可変設定部を有している構成をもって課題を解決する手段としている。
【００１５】
さらに、第９の発明は、上記第１乃至第８のいずれか一つの発明の構成に加え、前記リモコン装置にはディスプレイ操作部が設けられ、該ディスプレイ操作部の画像表示操作によって撮影手段により撮影する画像がリモコン装置のディスプレイ部に表示される構成をもって課題を解決する手段としている。
【発明の効果】
【００１６】
本発明において、映像を撮影可能な撮影手段が、屋外に配置される熱交換住設備に設けられており、熱交換住設備は、通常、人目につきにくい場所に設けられているので、泥棒等の不審者が屋内の様子をうかがうために近づきやすい。したがって、本発明によれば、撮影手段によって不審者等の映像を効率的に撮影することができ、その画像を通信線を介してリモコン装置へ伝達し、リモコン装置のディスプレイ部に表示することにより、使用者が不審者等の映像を容易に把握できるようにすることができる。
【００１７】
また、本発明において、熱交換住設備は給湯熱源装置とした構成によれば、給湯器等の給湯熱源装置は、通常、住宅に必然的に設置されるものであるので、この給湯熱源装置に撮像手段を設けることにより、上記効果をより安価な設備で発揮できる。
【００１８】
さらに、本発明において、撮影手段により撮影した画像をリモコン装置に伝達する通信線は給湯熱源装置の制御用の通信回線を使用した構成によれば、通常、住宅に必然的に設置される給湯熱源装置の通信回線を利用して防犯システムを構成できるので、新たな通信線の配線を行う手間を省け、配線設置により見栄えを損なうこともなく、より安価に防犯システムを構築できる。
【００１９】
さらに、本発明において、熱交換住設備には該熱交換住設備近傍に人がいることを検知する人検知センサが設けられており、人検知センサが熱交換住設備近傍に人がいることを検知したときに撮影手段が撮影する画像がリモコン装置のディスプレイ部に表示される構成によれば、人検知センサにより熱交換住設備近傍に人がいることを自動的に検知して、その映像をリモコン装置のディスプレイ部に表示できるので、より確実に不審者等の映像を使用者に知らせることができる。
【００２０】
さらに、本発明において、熱交換住設備は、該熱交換住設備近傍に人がいることを検知する人検知センサと、撮影手段により撮影する画像のデータを記憶するデータ記憶部とを有し、データ記憶部に記憶されている画像のデータがリモコン装置のディスプレイ部に表示される構成によれば、例えば、使用者が留守中等、リモコン装置の近くに使用者がいない場合でも、データ記憶部に記憶されている画像のデータをリモコン装置のディスプレイ部に表示して、不審者等の映像を確認できるようにすることができる。
【００２１】
さらに、本発明において、熱交換住設備には、該熱交換住設備近傍に人がいることを検知する人検知センサと、該人検知センサが前記熱交換住設備近傍に人がいることを検知したときに撮影手段が撮影する画像のデータを予め定められている設定電話番号の電話に送信する電話用データ送信部とが設けられている構成によれば、例えば使用者が留守中であっても、設定電話番号の電話によって不審者等の映像を把握できるようにすることができる。
【００２２】
さらに、本発明において、熱交換住設備には該熱交換住設備近傍に人がいることを検知する人検知センサが設けられ、前記熱交換住設備とリモコン装置の少なくとも一方には前記人検知センサが前記熱交換住設備近傍に人がいることを検知したときに警告を発する警告発生部が設けられている構成によれば、例えば泥棒等の不審者が熱交換住設備近傍に近づいた時に、熱交換住設備の警告発生部により警告を発することにより、不審者を追い払うことができる。また、リモコン装置から警報を発すれば、リモコン装置の近くに使用者がいない場合でも、不審者等が近づいたことを使用者が直ちに気づくことができ、防犯機能を高めることができる。
【００２３】
さらに、本発明において、人検知センサによる人の検知感度を可変設定できる人検知感度可変設定部を有している構成によれば、例えば、熱交換住設備が設置されている場所を猫等が通りやすいときに、人検知センサによる人の検知感度を小さく設定することにより、人検知センサが必要以上に人の検知を行う（人以外の生き物等を人と誤検知する）といったことを抑制できる。
【００２４】
さらに、本発明において、リモコン装置にはディスプレイ操作部が設けられ、該ディスプレイ操作部の画像表示操作によって撮影手段により撮影する画像がリモコン装置のディスプレイ部に表示される構成によれば、屋内の使用者によって、適宜、撮影手段により撮影する画像を確認でき、使い勝手を良くすることができる。
【発明を実施するための最良の形態】
【００２５】
以下、本発明の実施の形態を、図面を参照して説明する。
【００２６】
図２には、本発明に係る防犯システムの一実施形態例の配置構成が模式的に示されており、図１には、その制御構成が示されている。図２に示すように、本実施形態例の防犯システムは、屋外に配置される熱交換住設備としての給湯器１と、該給湯器１と通信線２により接続されて屋内に配置されるリモコン装置３とを有している。給湯器１は給湯熱源装置であり、風呂釜用、台所給湯用等、様々なものが適用されるが、いずれも、通常、住宅に必然的に設けられる。なお、図２の図中、２０は住宅の外壁を示す。
【００２７】
図１に示すように、給湯器１には、撮影手段５、データ記憶部８、リモコン用信号送受信部１４、人検知センサ７、電話用データ送信部９、警告発生部１０（１０ａ）、燃焼制御部１８が設けられている。また、リモコン装置３には、給湯器用信号送受信部１５、ディスプレイ部６、ディスプレイ操作部１２、人検知感度可変設定部１１、警告発生部１０（１０ｂ）、給湯運転指示部１９が設けられている。
【００２８】
撮影手段（撮像手段）５は、映像を撮影可能なＣＣＤカメラや赤外線カメラ等の適宜の手段により形成されており、給湯器１の近傍領域の映像を撮影する。また、人検知センサ７は、給湯器１の近傍に人がいることを検知するセンサであり、例えば赤外線センサや超音波センサ等、適宜のセンサにより形成されている。
【００２９】
本実施形態例は、撮影手段５により撮影した画像を給湯器１からリモコン装置３へ前記通信線２を通して伝達し、リモコン装置３のディスプレイ部６に表示することを特徴としている。
【００３０】
例えば、人検知センサ７が前記給湯器１近傍に人がいることを検知したときに、撮影手段５が撮影する画像が、画像データとしてリモコン用信号送受信部１４に加えられ、さらに、通信線２を介して、リモコン装置３の給湯器用信号送受信部１５に加えられ、ディスプレイ部６に加えられる。そして、撮影手段５が撮影する画像がディスプレイ部６に表示される。
【００３１】
また、本実施形態例は、撮影手段５により撮影した画像をリモコン装置３に伝達する通信線２が給湯器１の制御用の通信回線を使用して形成されていることも特徴としている。
【００３２】
つまり、通信線２は、リモコン装置３の給湯運転指示部１９の指示を給湯器用信号送受信部１５から給湯器１のリモコン用信号送受信部１４に加える機能も有しており、給湯運転指示部１９の指示がリモコン用信号送受信部１４に加えられると、この指示信号は燃焼制御部１８に加えられ、給湯器１が給湯燃焼運転等を適宜行う。なお、この給湯燃焼運転に関する説明は省略する。
【００３３】
リモコン装置３のディスプレイ部６は、例えば、通常、給湯器１の燃焼運転制御に関する情報を表示しているが、人検知センサ７が給湯器１近傍に人がいることを検知して、撮影手段５が撮影した画像のデータが給湯器用信号送受信部１５に加えられたときには、この画像の表示に切り替わるように構成されている。
【００３４】
なお、撮影手段５が撮影する画像の表示は、例えば予め定めた設定表示時間行い、その後、給湯器１の燃焼運転制御に関する情報の表示に切り替わるように構成してもよいし、表示切り替えの操作部を設けて、この操作が行われた時に給湯器１の燃焼運転制御に関する情報の表示に切り替わるように構成してもよい。
【００３５】
データ記憶部８は、撮影手段５が撮影した画像のデータを記憶するものであり、人検知センサ７が前記給湯器１近傍に人がいることを検知したときに、撮影手段５が撮影する画像が、画像データとしてデータ記憶部８に加えられ、データ記憶部８に記憶される。
【００３６】
このデータ記憶部８が記憶したデータの再生は、リモコン装置３のディスプレイ操作部１２の操作によって行われる。ディスプレイ操作部１２は、画像再生表示操作や画像表示操作の操作部（例えばボタン）を有しており、ディスプレイ操作部１２の画像再生表示操作に応じて、例えば予め定めた設定期間にデータ記憶部８が記憶したデータの再生が行われ、画像のデータがリモコン装置３のディスプレイ部６に表示される。
【００３７】
つまり、ディスプレイ操作部１２の画像再生表示操作が行われると、この画像表示指示が給湯器用信号送受信部１５に加えられ、さらに、通信線２を通してリモコン用信号送受信部１４に加えられる。そして、撮影手段５が撮影してデータ記憶部８に記憶されている画像のデータをリモコン用信号送受信部１４が取り込み、通信線２を通して給湯器用信号送受信部１５に加え、ディスプレイ部６に表示する。
【００３８】
なお、ディスプレイ操作部１２は、データ記憶部８が記憶したデータの再生に際し、早送りや巻き戻し、消去等の適宜の操作が行える機能も有している。
【００３９】
また、ディスプレイ操作部１２の画像表示操作によって、たとえ人検知センサ７が人の検知を行っていない場合でも、随時、撮影手段５により撮影する画像がリモコン装置３のディスプレイ部６に表示される。
【００４０】
つまり、ディスプレイ操作部１２の画像表示操作が行われると、この画像表示指示が給湯器用信号送受信部１５に加えられ、さらに、通信線２を通してリモコン用信号送受信部１４に加えられる。そして、撮影手段５が撮影する画像のデータをリモコン用信号送受信部１４が取り込み、通信線２を通して給湯器用信号送受信部１５に加え、ディスプレイ部６に表示する。
【００４１】
電話用データ送信部９は、前記人検知センサ７が給湯器１近傍に人がいることを検知したときに、撮影手段５が撮影する画像のデータを、予め定められている設定電話番号の電話に送信するものであり、本実施形態例では、撮影手段５が撮影する画像のデータを携帯電話１３に送信する。このデータは、携帯電話１３のディスプレイ部に表示される。
【００４２】
なお、電話用データ送信部９を有線により警察や警備会社等の電話に接続し、人検知センサ７が給湯器１近傍に人がいることを検知したときに撮影手段５が撮影する画像のデータや、人検知センサ７が人を検知したという信号を、１１０番や予め定められている設定電話番号の警備会社の電話に送信してもよい。
【００４３】
警告発生部１０は、前記人検知センサ７が前記給湯器１近傍に人がいることを検知したときに警告を発する。この警告は、例えば光と音と振動の少なくとも一つの手段によって発するものであり、例えばスピーカー等を介して警告を発したり、ライトを当てる等、様々な適用が可能である。本実施形態例では、給湯器１に警告発生部１０（１０ａ）が、リモコン装置３に警告発生部１０（１０ｂ）がそれぞれ設けられている。
【００４４】
なお、例えば、通信線２の切断等を検出するセンサを設け、例えば不審者により通信線２が切断されたときにも、リモコン装置３の警告発生部１０ｂが警告を発するように構成することもできる。このように構成すると、警告により、不審者を追い払う等の効果を発揮できる。また、電源線が切断された場合は、本体（ここでは給湯器１）のメモリバックアップ用バッテリーを用いて本体から警告を発してもよい。
【００４５】
人検知感度可変設定部１１は、人検知センサ７による人の検知感度を可変設定するものである。人検知感度可変設定部１１により人の検知感度の可変設定が行われると、この検知感度可変設定指示が給湯器用信号送受信部１５に加えられ、さらに、通信線２を通してリモコン用信号送受信部１４に加えられる。そして、前記検知感度可変設定指示が人検知センサ７に加えられ、人検知センサ７の検知感度が可変設定される。
【００４６】
本実施形態例は以上のように構成されており、屋外の、通常は人目につきにくい場所に設けられている給湯器１に撮影手段５を設けており、泥棒等の不審者が屋内の様子をうかがうために給湯器１に近づきやすいので、撮影手段５によって不審者等の映像を効率的に撮影することができる。そして、撮影手段５により撮影した画像を前記給湯器１から前記リモコン装置３へ伝達し、リモコン装置３のディスプレイ部６に表示することにより、使用者が不審者等の映像を容易に把握できる。
【００４７】
また、本実施形態例によれば、通常、住宅に必然的に設置される給湯器１とそのリモコン装置３を利用して防犯システムを構成しているので、上記効果をより安価な設備で発揮できる。
【００４８】
さらに、本実施形態例によれば、撮影手段５により撮影した画像をリモコン装置３に伝達する通信線２は給湯熱源装置の制御用の通信回線を使用しているので、新たな通信線の配線を行う手間を省け、配線設置により見栄えを損なうこともなく、より安価に防犯システムを構築できる。
【００４９】
さらに、本実施形態例によれば、給湯器１には該給湯器１近傍に人がいることを検知する人検知センサ７が設けられており、人検知センサ７が前記給湯器１近傍に人がいることを検知したときに撮影手段５が撮影する画像がリモコン装置３のディスプレイ部６に表示されるので、人検知センサ７により給湯器１近傍に人がいることを自動的に検知し、その映像をディスプレイ部６に表示して、確実に不審者等の映像を使用者が把握できる。
【００５０】
さらに、本実施形態例によれば、撮影手段５により撮影する画像のデータをデータ記憶部８が記憶し、データ記憶部８に記憶されている画像のデータがリモコン装置３のディスプレイ操作部１２の画像再生表示操作に応じてディスプレイ部６に表示されるので、例えば、使用者が留守中等、リモコン装置３の近くに使用者がいない場合でも、データ記憶部８に記憶されている画像のデータをリモコン装置３のディスプレイ部６に表示して、不審者等の映像を確認できる。
【００５１】
さらに、本実施形態例によれば、人検知センサ７が給湯器１近傍に人がいることを検知したときに撮影手段５が撮影する画像のデータを、電話用データ送信部９が設定電話番号の携帯電話１３に送信するので、例えば使用者が留守中であっても、設定電話番号の携帯電話１３によって不審者等の映像を把握することができる。
【００５２】
さらに、本実施形態例によれば、人検知センサ７が給湯器１近傍に人がいることを検知したときに、警告発生部１０（１０ａ，１０ｂ）が警告を発するので、例えば泥棒等の不審者が給湯器１近傍に近づいた時に、給湯器１の警告発生部１０ａにより警告を発することにより、不審者を追い払うことができる。また、リモコン装置３の警告発生部１０ｂから警報を発することにより、リモコン装置３の近くに使用者がいない場合でも、不審者等が近づいたことを使用者が直ちに気づくことができ、防犯機能を高めることができる。
【００５３】
さらに、本実施形態例によれば、人検知センサ７による人の検知感度を可変設定できる人検知感度可変設定部１１を有しているので、例えば、給湯器１が設置されている場所を猫等が通りやすいときに、人検知センサ７による人の検知感度を小さく設定することにより、人検知センサ７が必要以上に人の検知を行う（人以外の生き物等を人と誤検知する）といったことを抑制できる。
【００５４】
さらに、本実施形態例によれば、ディスプレイ操作部１２の画像表示操作によって、撮影手段５により撮影する画像がリモコン装置３のディスプレイ部６に随時表示することができるので、例えば使用者が、物音等に気づいて屋外の様子を確認したい時等に、随時、撮影手段５が撮影した画像を確認でき、便利である。
【００５５】
なお、本発明は上記実施形態例に限定されることはなく、様々な態様を採り得る。例えば、上記実施形態例では、給湯器１とリモコン装置３の両方に警告発生部１０を設けたが、給湯器１とリモコン装置３のいずれか一方にのみ警告発生部１０を設けてもよいし、警告発生部１０を省略することもできる。ただし、警告発生部１０を設けると、犯罪を未然に防ぐ上で有利であり、好ましい。
【００５６】
また、上記実施形態例では、電話用データ送信部９を設けたが、電話用データ送信部９は省略することもできる。
【００５７】
さらに、上記実施形態例では、データ記憶部８を設けたが、データ記憶部８は省略することもできる。
【００５８】
さらに、上記実施形態例では、ディスプレイ操作部１２の画像表示操作によって、撮影手段５により撮影する画像がリモコン装置３のディスプレイ部６に随時表示するようにしたが、人検知センサ７が人を検知した時のみ、撮影手段５により撮影する画像をリモコン装置３のディスプレイ部６に表示するようにしてもよい。
【００５９】
さらに、上記実施形態例では、人検知感度可変設定部１１を設けたが、人検知感度可変設定部１１は省略することもできる。
【００６０】
さらに、上記実施形態例では、給湯器１内に人検知センサ７を設けたが、人検知センサ７を給湯器１の外部の屋外領域（例えば不審者等が隠れやすい場所）に設けて給湯器１に接続してもよい。
【００６１】
さらに、上記実施形態例では、給湯器１内に撮影手段５を設けたが、撮影手段５を給湯器１の外部の屋外領域（例えば給湯器１が配置される領域の軒下等）に設けて給湯器１に接続してもよい。撮影手段５を例えば給湯器１が配置される領域の軒下に設けた場合は、撮影手段５によって給湯器１の配置領域をより広範囲に撮影することができるので、防犯上、より効果的である。
【００６２】
さらに、上記実施形態例では、撮影手段５により撮影した画像をリモコン装置３に伝達する通信線２は給湯器１の制御用の通信回線を使用したが、通信線２は給湯器１の制御用の通信回線を使用せず、新たな回線としてもよい。ただし、通信線２は給湯器１の制御用の通信回線を使用して形成すると、より低コストで、設置が容易な防犯システムを構成できる。
【００６３】
さらに、上記実施形態例では、撮影手段５等を設ける熱交換住設備を給湯器１としたが、屋外に配置される熱交換住設備は、冷暖房熱源機やコジェネレーション給湯熱源装置を備えた給湯熱源システム等の熱源装置としてもよい。この場合も、撮影手段５により撮影した画像をリモコン装置３に伝達する通信線２は熱源装置の制御用の通信回線を使用しても使用しなくてもよいが、通信線２は熱源装置の制御用の通信回線を使用したほうが、設置が容易となり、コストも低減できるので好ましい。
【００６４】
さらに、屋外に配置される熱交換住設備は、給湯器１等の給湯熱源装置とするとは限らず、エアコンの室外機等の設備としてもよい。
【００６５】
さらに、リモコン装置３は、電源スイッチを操作すると表示を含めて全ての機能を停止状態にする省エネタイプの装置としてもよい。この場合、人検知センサ７のみはＯＮとしておき、この人検知センサ７からの“人有り”の信号を受けたならば、この信号で、リモコン装置３の電源スイッチをＯＮとしてディスプレイ表示可能状態にできるようにすることで、省エネと防犯を両立できる。
【図面の簡単な説明】
【００６６】
【図１】本発明に係る防犯システムの一実施形態例の制御構成をブロック図により示す要部構成図である。
【図２】本発明に係る防犯システムの一実施形態例の配置構成を模式的に示す説明図である。
【符号の説明】
【００６７】
１  給湯器
２  通信線
３  リモコン装置
５  撮影手段
６  ディスプレイ部
７  人検知センサ
８  データ記憶部
９  電話用データ送信部
１０  警告発生部
１１  人検知感度可変設定部
１２  ディスプレイ操作部
１３  携帯電話
１４  リモコン用信号送受信部
１５  給湯器用信号送受信部
【図１】
2005267159.tif 000003
【図２】
2005267159.tif 000004